(57)【要約】  本発明は、紙巻タバコの包み（１）に関し、この包みは、紙巻タバコの一団（１１１）と、紙巻タバコの一団（１１１）の二つの対向する第一側面及び第二側面において少なくとも部分的に紙巻タバコの一団（１１１）を取り囲む強化要素（２１）と、溶封可能な種類のシートから形成される密閉された外被（１１）であって、紙巻タバコの一団（１１１）及び強化要素（２１）を取り囲む外被（１１）と、を具備し、この包みは、さらに、密閉された外被（１１）内の遊離酸素量を低減するために、紙巻タバコの一団（１１１）と流体的に連通されて配置される遊離酸素を吸収するための手段（５１）を具備する。【選択図】図１
2017538635.tif 000002
【特許請求の範囲】
【請求項１】
紙巻タバコの一団（１１１；１１２）と、
紙巻タバコの前記一団（１１１；１１２）の二つの対向する第一側面及び第二側面において少なくとも部分的に紙巻タバコの前記一団（１１１；１１２）に載置された強化要素（２１；２２）と、
溶封可能な種類のシートから形成される密閉された外被（１１；１２）であって、紙巻タバコの前記一団（１１１；１１２）及び前記強化要素（２１；２２）を取り囲む前記外被（１１；１２）と、を具備する紙巻タバコの包み（１；２）において、
前記包み（１；２）は、密閉された前記外被（１１；１２）内の遊離酸素量を低減するために、紙巻タバコの前記一団（１１１；１１２）と共に密閉された前記外被（１１；１２）内に配置される、遊離酸素を吸収するための手段（５１）を具備することを特徴とする紙巻タバコの包み（１；２）。
【請求項２】
前記外被は、紙巻タバコの前記一団（１１１；１１２）及び吸収のための前記手段（５１）を含有する大気圧で気密の空間を構成し、予め定められた湿度程度を有する保護雰囲気を有する請求項１に記載の包み（１；２）。
【請求項３】
溶封可能な種類の前記シートは、折られた前記シートが、前記第一側面及び前記第二側面からそれぞれに突出する二つの対向する開き端部を具備するように、紙巻タバコの前記一団（１１１）回り及び前記強化要素（２１）回りにＵ形に折られ、
前記第一側面及び前記第二側面のそれぞれの各前記開き端部の第一端部（３１１´）を折り、前記第一端部（３１１´）上にそれぞれの各前記開き端部の第二端部（３１１´´）を折り、次いで、折られた前記第一端部（３１１´）及び前記第二端部（３１２´）を互いに溶封することによって、又は、
互いに対向して配置されるように前記第一側面及び前記第二側面のそれぞれの第一端部（３１２´）及び第二端部（３１２´´）を結合し、次いで、前記第一端部（３１２´）及び前記第二端部（３１２´´）を互いに溶封することによって、前記外被（１１）が密閉される請求項１又は２に記載の包み（１）。
【請求項４】
前記外被は、
前記紙巻タバコの抜き取り開口と、
前記抜き取り開口において前記外被上に可動に載置された付着閉じパネルと、を具備し、
前記付着閉じパネルは、前記付着閉じパネルが前記抜き取り開口への接近を可能とするように前記外被から少なくとも部分的に外される開き位置と、前記付着閉じパネルが前記抜き取り開口を閉じるように前記外被へ載置される閉じ位置との間を可動である請求項１〜３のいずれか一項に記載の包み。
【請求項５】
酸素吸収のための前記手段（５１）は、前記強化要素（２１；２２）と前記外被（１１；１２）との間に挿入される請求項１〜４のいずれか一項に記載の包み（１；２）。
【請求項６】
吸収のための前記手段は、前記外被の内面の少なくとも一部の被覆からなる請求項１〜４のいずれか一項に記載の包み（１；２）。
【請求項７】
吸収のための前記手段は、前記外被又は前記強化要素へ結合された付着吸収パネルからなる請求項１〜４のいずれか一項に記載の包み（１；２）。
【請求項８】
吸収のための前記手段は、紙巻タバコの前記一団（１１１；１１２）に並んで配置されて、前記遊離酸素を吸収することができる粉又は粒剤を具備する通気性の袋（５１）からなる請求項１〜４のいずれか一項に記載の包み（１；２）。
【請求項９】
吸収のための前記手段は、前記強化要素に一体化される請求項１〜４のいずれか一項に記載の包み（１；２）。
【請求項１０】
吸収のための前記手段は、密閉された前記外被（１１；１２）を形成する溶封可能な種類の前記シートと一体化される請求項１〜４のいずれか一項に記載の包み（１；２）。
【請求項１１】
前記包み（１；２）内の遊離酸素の量に基づき色を変えることを可能とする酸素量の視覚的表示手段を具備し、
前記外被（１１；１２）は、少なくとも一つの透明部分を有し、
前記視覚的表示手段は、吸収のための前記手段（５１）が前記包み（１；２）内の前記遊離酸素を予め定められた量だけ低減するときに既定色を示す対応関係で配置される請求項１〜１０のいずれか一項に記載の包み（１；２）。
【請求項１２】
紙巻タバコの一団（１１１；１１２）を形成する段階と、
紙巻タバコの前記一団（１１１；１１２）の二つの対向する第一側面及び第二側面回りに少なくとも部分的に強化要素を載置する段階と、
溶封可能な種類のシートで紙巻タバコの前記一団（１１１；１１２）及び前記強化要素（２１；２２）を取り囲むことによって部分的に包装された外被（１１；１２）を構成する段階と、
密閉された外被を形成するように部分的に包装された前記外被（１１；１２）を密閉する段階と、を具備する紙巻タバコの包み（１；２）を包装する方法において、
前記方法は、前記密閉する段階の前に、紙巻タバコの前記一団（１１１；１１２）と共に遊離酸素を吸収するための手段（５１）を前記外被（１１；１２）内へ配置する段階を具備することを特徴とする方法。
【請求項１３】
密閉の前記段階は、大気圧で気密の空間として紙巻タバコの前記一団（１１１；１１２）を含有する前記外被を構成し、
結合の前記段階は、前記空間内に吸収のための前記手段（５１）を配置し、
前記方法は、前記空間の雰囲気を、予め定められた湿度程度が設けられた雰囲気へ調整する段階を具備する請求項１２に記載の方法。
【請求項１４】
前記包み（１；２）へ遊離酸素を吸収するための前記手段（５１）を結合する段階は、吸収のための前記手段（５１）を、前記強化要素（２１；２２）へ、又は、溶封可能な前記シートへ、又は、前記強化要素又は溶封可能な前記シートを構成することを可能とする包装材料のテープへ結合することによってなされる請求項１２又は１３に記載の方法。
【発明の詳細な説明】
【技術分野】
【０００１】
本発明は、包み内の酸素量を低減することができる遊離酸素を吸収するための手段が設けられた紙巻タバコの包みに関する。特に、本発明は、紙巻タバコの一団を含有する密閉外被が設けられた紙巻タバコの包みに関し、遊離酸素を吸収するための手段は、密閉外被内の酸素量を低減するために紙巻タバコの一団と流体的に連通して配置される。
【０００２】
さらなる態様において、本発明は、包み内の遊離酸素を吸収するための手段が設けられた紙巻タバコの包みを包装するための方法に関する。特に、本発明は、紙巻タバコの一団と流体的に連通して吸収手段を配置するように、吸収手段を紙巻タバコの包みと結合するための方法に関する。
【背景技術】
【０００３】
紙巻タバコに含有されるタバコの感覚刺激特性を良好に維持するために、紙巻タバコの一団回りに不透過性材料の包装シートを折って溶封することにより形成される密閉式の外被を具備するように紙巻タバコの包みを製造することが知られている。
【０００４】
適切な溶封を達成して、同時に、中身を保護するために、この包みの外被は、その内側に、好ましくは厚紙の強化要素を具備し、この強化要素が、少なくとも側面において紙巻タバコの一団を取り囲む。この要素は、溶接作業中に対置手段として使用され、こうして、包の密閉作業を改善する。
【０００５】
さらなる種類の公知の密閉包みは、流体密の包みである。これらは、「流れ包装（ｆｌｏｗ−ｐａｃｋ）」と称される包装方法を使用することにより製造され、紙巻タバコの一団回りに筒状に巻かれる包装材料の連続テープの長手方向溶接によって、連続する紙巻タバコの一団回りに、筒状包装が形成される。次いで、筒状包装は、単一の密閉内側包みを得るために、密閉され、紙巻タバコの各団の上流側及び下流側において横断方向に切断される。述べられたこの種の密閉包みは、紙巻タバコの一団におけるタバコの感覚刺激特性の最適な維持を可能とする。
【０００６】
使用される包装方法に関係なく、密閉包みの雰囲気内の遊離酸素は、包み内に含有されるタバコを経年劣化させ、これは、遊離酸素の酸化作用が紙巻タバコをもはや使用できなくする限度へタバコの感覚刺激特性に影響を及ぼすためである。
【０００７】
酸化からタバコを保護するために、密閉式でそれ内に調整雰囲気が提供された紙巻タバコの包みを製造することが知られている。これは、概して、部分的又は全体的な不活性式であり、予め定められた量の気体状態の窒素の導入によって得られる。特に、調整雰囲気は、包装された製品の維持を可能とするように、周囲空気を混合気体と交換することによって得られる。使用される気体は、圧倒的に、窒素及び二酸化炭素の少なくとも一方から形成され、概して、包装段階中において包みを閉じる前に導入される。
【０００８】
この保護雰囲気は、使用される気体の阻害及び静菌作用のために、紙巻タバコの寿命を長くして、感覚刺激特性を維持する助けとなる。
【０００９】
しかしながら、包みを閉じる以前に保護雰囲気を発生することに関連する前述の解決方法は、特に紙巻タバコの包装の分野へ適用されるときに、多くの欠点を有する。特にタバコの容積に隙間を有する紙巻タバコのような完全には詰まっていない製品の場合において、酸素の一部が製品内へ閉じ込められる。
【００１０】
それにより、前述された従来の装置による酸素の排除は、約数十秒から数分の特に長い時間を必要とする。それにより、この排除時間は、通常の包装時間には不適合である。
【００１１】
さらなる欠点は、隔離された環境内に製品流れの一部を、特に窒素を含有する保護雰囲気の導入を可能とするように配置する必要性から結果として生じる。特に、１分当たり紙巻タバコのちょうど１０００包みに及ぶ現在の高速基準を維持するように隔離された環境内での製品流れを完全に達成する要求に至るまでには、処理がより速くなるほど、隔離された環境内に設置される製品流れの一部はより大きくなる。調整雰囲気内の製品流れの配置は、さらに、貯蔵及び消費される不活性気体の量に関して、及び、概して紙巻タバコを包装するための自動機械で使用されない保護雰囲気の管理への支援設備の必要性に関して、特に高価であると共に、作業者の保安にとって特に危険である。
【００１２】
それにより、前述の欠点を最少化することができる紙巻タバコの包みを有することが望まれている。特に、長い期間の間において、包み内の紙巻タバコの一団の品質及び不変性を保証することを可能とする紙巻タバコの包みを有することが望まれている。
【００１３】
同様に、長い期間の間において、包み内の紙巻タバコの品質及び耐久性を保証することを可能として、同時に製造するのに安価である紙巻タバコの包みを包装するための方法を有することが望まれている。
【００１４】
ある特許文献には、紙巻タバコの一団を取り囲む内側包みを含有する包みと、密閉された内側包み内を一定の湿度に維持するように湿気を吸収する物質とが記載されている（例えば、特許文献１参照。）。この湿気を吸収する物質は、紙巻タバコの一団を取り囲む内側包みに並んで配置された水蒸気透過性の溶封された袋内に配置される。
【先行技術文献】
【特許文献】
【００１５】
【特許文献１】独国特許出願公開第２２５３２６８号
【発明の概要】
【発明が解決しようとする課題】
【００１６】
本発明の目的は、紙巻タバコの一団の経年劣化に対する高い化学的保護を有し、同時に、製造されるのに安価である紙巻タバコの包みを提供することである。
【００１７】
特に、本発明の目的は、酸素から紙巻タバコの一団を保護することを可能とする紙巻タバコの包みを提供することである。
【００１８】
本発明のさらなる目的は、酸素から中身を保護することを可能とする紙巻タバコの包みのための包装方法を提供することである。
【課題を解決するための手段】
【００１９】
前述の目的は、添付請求の範囲による紙巻タバコの包みによって達成される。
【００２０】
本包みは、
紙巻タバコの一団と、
紙巻タバコの一団の二つの第一及び第二対向側面において少なくとも部分的に紙巻タバコの一団を取り囲む強化要素と、
溶封可能な種類のシートから形成された密閉外被であって、紙巻タバコの一団及び強化要素を取り囲む内側外被と、を具備し、
本包みは、密閉外被内の遊離酸素量を低減するために、紙巻タバコの一団と流体的に連通して配置された遊離酸素を吸収するための手段を具備することを特徴とする。
【００２１】
より好ましくは、外被は、紙巻タバコの一団を含有する空間を構成し、この空間は大気圧において気密であり、吸収手段はこの空間内に配置される。
【００２２】
このようにして、遊離酸素の低減作用は、包み製造のための周期時間に影響することなく、高価な設備を使用しないで長い期間の間において実施される。
【００２３】
特に、空間は、酸素及び窒素の少なくとも一方の予め定められた量、及び、予め定められた湿度程度の少なくとも一方を有する保護雰囲気を有する。
【００２４】
このようにして、吸収手段の作用は、包み内の酸素程度及び予め定められた湿度の少なくとも一方を維持することを可能とする。
【００２５】
好ましくは、溶封可能なシートは、折られたシートが、第一及び第二側面からそれぞれに突出する二つの対向開き端部を具備するように、紙巻タバコの一団回り及び強化要素回りにＵ形に折られ、
第一及び第二側面のそれぞれの各開き端部の第一端部を折り、第一端部上にそれぞれの各開き端部の第二端部を折り、次いで、折られた第一及び第二端部を互いに溶封して、又は、
互いに対向して配置されるように第一及び第二側面のそれぞれの第一及び第二端部を結合し、次いで、第一及び第二端部を互いに溶封して、外被は密閉される。
【００２６】
好ましくは、外被は、
紙巻タバコの抜き取り開口と、
抜き取り開口において外被上に可動に載置された付着閉じパネルと、を具備し、
閉じパネルは、閉じパネルが抜き取り開口への接近を可能とするように外被から少なくとも部分的に外される開き位置と、閉じパネルが抜き取り開口を閉じるように外被へ載置される閉じ位置との間を可動である。
【００２７】
このようにして、包みの各再閉じにおいて、低減された遊離酸素量及び予め定められた湿度程度の少なくとも一方を有する理想的な雰囲気を再形成することが可能となるであろう。
【００２８】
好ましくは、酸素吸収のための手段は、強化要素と外被との間に挿入される。
【００２９】
このようにして、吸収手段は、包み内に含有される紙巻タバコの一団を多少なりとも損傷させない。
【００３０】
好ましくは、吸収手段は、外被の内面の少なくとも一部の被覆、又は、外被又は強化要素へ結合された付着吸収パネルからなり、又は、遊離酸素を吸収することができる粉又は粒剤を具備する通気性の袋からなる。
【００３１】
このようにして、被覆又は付着パネルは、包みに関して吸収手段の重量及び容積に関する影響を最少化することを可能とする。
【００３２】
好ましくは、包みは、包み内の遊離酸素量に基づき色を変えることを可能とする酸素量の視覚的表示手段を具備し、
外被は、少なくとも一つの透明部分を有し、視覚的表示手段は、吸収手段が包み内を予め定められた遊離酸素量へ低減するときに、既定色を示すように透明部分に配置される。
【００３３】
このようにして、吸収手段の作用は、包みの内側雰囲気の状態を使用者へ表示することを可能とする適当な検出手段に関連付けられる。
【００３４】
前述の目的は、さらに、添付請求の範囲による紙巻タバコの包みを包装するための方法によって達成される。
【００３５】
本包装方法は、
紙巻タバコの一団を形成する段階と、
少なくとも部分的に紙巻タバコの一団の二つの対向する第一及び第二側面回りに強化要素を載置する段階と、
溶封可能な種類のシートで紙巻タバコの一団及び強化要素を包装することによって部分的に包装された外被を構成する段階と、
密閉された外被を形成するように部分的に包装された外被を密閉する段階と、を包含し、
本包装方法は、密閉段階前に、遊離酸素を吸収するための手段を包みへ紙巻タバコと流体的に連通して結合する段階を包含することを特徴とする。
【００３６】
このようにして、包みを構成して、酸素吸収のための手段を例えばラベル張り器又は押圧器によって付けるために、従来の包装機構を使用することが可能である。酸素吸収ための手段は、例えば、接着によって又は付着パネルを付けることによって強化要素又は外被を構成する包装シートへ付けられることができる。
【００３７】
好ましくは、密閉段階は、大気圧で気密の空間として紙巻タバコの一団を含有する外被を構成し、
結合段階は、空間内に吸収手段を配置し、
本方法は、空間の雰囲気を、予め定められた酸素量及び窒素量の少なくとも一方、及び、予め定められた湿度程度の少なくとも一方を含有する保護雰囲気へ調整する段階を包含する。
【００３８】
好ましくは、包みへ遊離酸素を吸収するための手段を結合する段階は、吸収手段を、強化要素へ、又は、溶封可能なシートへ、又は、強化要素又は溶封可能なシートを構成することを可能とする包装材料のテープへ結合することによってなされる。
【００３９】
本発明のさらなる特徴及び利点は、添付図面に非限定の例として例示された好適な実施形態の記述から明らかになるであろう。
【図面の簡単な説明】
【００４０】
【図１】本発明による遊離酸素を吸収するための手段が設けられた紙巻タバコの包みの第一実施形態の前側斜視図である。
【図２】図１の紙巻タバコの包みの下側からの平面図である。
【図３】本発明による遊離酸素を吸収するための手段が設けられた紙巻タバコの包みの第二実施形態の前側斜視図である。
【図４】図３の紙巻タバコの包みの下側からの平面図である。
【発明を実施するための形態】
【００４１】
図１及び２に関して、本発明による遊離酸素を吸収するための手段を具備する紙巻タバコの包み１が例示される。
【００４２】
包み１は、紙巻タバコの一団１１１を取り囲む外被１１を具備する。以下により詳しく述べられるように、より強い構造的強度を保証して外被１１の壁への適当な溶封を可能とするために、包み１は、さらに、紙巻タバコの一団１１１の二つの対向側面上、特に、第一側面及び第二側面上において紙巻タバコの一団１１１を部分的に取り囲む強化要素２１を具備する。特に、強化要素２１は、紙巻タバコの一団の前面上に配置され、この前面壁から離間対向側面上に延在する。
【００４３】
それにより、外被１１は、次に強化要素２１によって取り囲まれる紙巻タバコの前述の一団１１１回りに巻かれる包装材料のシート又はテープの断片によって構成される。包装のために使用される包装材料のテープの断片は、溶封可能な材料、好ましくは、少なくとも部分的に熱可塑性樹脂である。それにより、こうして構成された外被１１は、紙巻タバコの一団１１１及び強化要素２１を取り囲んだ後に溶封され、密閉外被を構成する。このようにして、包装された断片の構造的特徴は、外被１１を少なくとも大気圧において流体密にする。これは、包みが完成すると、紙巻タバコの一団を外側雰囲気から隔離することを可能とする。特に、密閉外被１１は、紙巻タバコの中身を保護することを可能とし、こうして、例えば、水性付着物等のような密閉外被の表面に付着した流体物質の密閉外被を通る吸収又は移動を回避する。
【００４４】
紙巻タバコの層配置は、包装中において、前面、背面、上面、底面、及び、二つの側面を有する前述の外被１１のための実質的に平行六面体形状を得ることを可能とする。ここで述べられる実施形態において、外被の前面及び側面は、強化要素２１の前面壁、及び、第一及び第二側面壁に配置される。
【００４５】
用語「前面」、「背面」、「上面」、「底面」、「側面」、及び、他の用語は、前面からの観察時に、垂直位置に配置された包みを参照して外被及び強化要素の表面の各位置を述べるのに使用した。
【００４６】
外被１１を形成するための包装シートの包装は、同じ外被１１の背面での包み１上の第一横断溶接部と、後に詳細に述べられるような「石鹸」形式の二つの側面の折り部とを構成するようになっている。
【００４７】
紙巻タバコ１１１の抜き取りは、外被１１に特別な抜き取り開口を構成することによって可能とされる。ここで述べられる実施形態において、この抜き取り開口は、特に形成された弱化線２１１での消費者による紙巻タバコの一団１１１への最初の接近で得られる。特に、この弱化線２１１は、外被１１の外面に形成された非貫通切込みによって形成される。それにより、紙巻タバコの一団１１１への接近は、弱化線２１１によって区切られた外被１１の一部から外被１１の包装材料を部分的に除去することによって達成される。図１に例示された実施形態において、除去可能な包装材料は、前面の垂直中心線に関して対称的な外被の位置に形成される。
【００４８】
紙巻タバコのつかみを改善するために、弱化線２１１は、包装材料の上面の一部と連続する同じ包装材料の前面の一部に延在する。このようにして、弱化線２１１によって得られる包装材料の除去は、使用者へ利用可能なつかみ領域を増大するように、前面から上面へ隣接する。紙巻タバコのつかみを常に改善するために、強化要素２１にも、包装材料の除去可能な一部に切欠きが設けられる。
【００４９】
さらなる実施形態（例示せず）において、抜き取り開口は、前述の面から包装材料を完全に除去することによって形成されることができ、こうして、紙巻タバコの一団の覆われた部分を維持する。同様に、弱化線によって取り囲まれる部分は、除去可能な部分の少なくとも片側を外被に接続されたままとして、同じ外被の残り部分から適当に離されて持ち上げられても良い。
【００５０】
さらに、さらなる実施形態（例示せず）において、弱化線は、前面の中心線に関する分散位置において、同じ前面及び上面の少なくとも一方の除去を構成しても良い。これは、例えば、包みの一端部において紙巻タバコを覆わないことだけによって、中央の従来の位置におけるよりむしろ包みの前述の端部につかみ領域を配置することを可能とする。
【００５１】
包みは、密閉外被１１内の遊離酸素量を低減するために、紙巻タバコの一団１１１と流体的に連通するように配置された、遊離酸素を吸収するための適当な手段５１によって完成させられる。特に、この吸収手段５１は、密閉外被１１によって構成される気密空間内に配置される。
【００５２】
ここで述べられた実施形態において、この吸収手段５１は、化学的活性で遊離酸素と化合することができる要素がその内側に設けられた容器によって形成される。特に、化学的活性要素は、鉄粉によって形成される。さらなる実施形態において、この要素は、鉄粉に加えて、触媒機能を有する塩化ナトリウム及びクエン酸の少なくとも一方も含有する。さらに、吸収手段の中身は、液体又は半流動状の材料よりむしろ粒剤によって構成されても良い。
【００５３】
前述の吸収手段５１を構成する容器は、特に、気体透過性材料から形成された四つの側面において溶封された袋の形状である。紙巻タバコの一団と流体的に連通するように配置されるときに、気体透過性袋は、遊離酸素をそれ内の中身と連通状態にすることを可能とする。
【００５４】
それにより、袋内に含有された化学的活性要素は、遊離酸素を吸収することができる。このようにして、包み１内の含有酸素は、包装工程へ時間制約を負わせることなく、製品の完全な包装後に、ゆっくりと吸収される。さらに、吸収中及び吸収完了時の少なくとも一方において、紙巻タバコの一団１１１は、低減させた量の遊離酸素を有してほぼ独占的に窒素からなる雰囲気内に浸され続ける。
【００５５】
図１に例示された実施形態において、鉄は、飽和まで酸化され、それゆえ、主に不活性な窒素及び少量の二酸化炭素を残して、周囲空気の約２１％を構成する酸素分子（Ｏ2）を捕える。
【００５６】
吸収能力は、提供された鉄粉量に直接的に比例し、一方、粒の大きさ、形状、湿度、及び、他の因子は、反応時間だけに影響する。反応時間は、数時間から数日であり、包装周期が完了するまで、吸収体が、それらの有効性を失うことなく外気に放置されることができる最大時間が評価される製造用途にとって重要である。
【００５７】
それにより、上述の種類の解決方法により、最適な密閉が提供された包みにおいて、密閉外被１１により形成された空間内における０．０５％より低い酸素程度を得ることが可能である。これに対して、包装中に雰囲気を窒素に調整することを提供する先行技術により使用される解決方法によっては、到達可能な値は、包みを雰囲気調整する間の長い待ち時間（単位時間当たりに製造される包みの数に関する生産高の結果的な減少を伴う）を犠牲にしても、１％以上である。図１及び２に例示された実施形態において、酸素吸収のための手段を構成する袋５１は、強化要素２１と外被１１との間に挿入される。このようにして、この袋は、紙巻タバコの一団１１１と流体的に連通するように配置される一方で、この一団に直接的に接触しない。これは、吸収手段５１が、紙巻タバコの弱い本体への物理的な損傷を引き起こすことなく、遊離酸素を捕える機能を行うことを可能とする。
【００５８】
加えて、吸収手段５１の作用は、包み１内の当初気体の容量の約２１％の固体状の吸収の結果として、適度な「減圧」効果をもたらすかもしれない。これは、包み１の残りの構成要素への外被１１の良好な密着を結果としてもたらし、外被の美観を改善する。
【００５９】
例示されていないさらなる実施形態により、遊離酸素を吸収するための手段は、外被又は強化要素へ付けられる例えば化学的活性材料で被覆された一つ以上の自身付着パネルによって得られても良い。例示されていないさらなる実施形態において、遊離酸素を吸収するための手段は、外被又は強化要素を構成する包装シートの少なくとも一部上に直接的に形成された表面被覆処理（被覆）によって得られることができる。
【００６０】
最後に、包み１は、さらに、包み１内に含有される酸素量の検出器及び表示器として作用する酸素量の視覚的表示器手段を具備する。この表示器手段は、紙巻タバコの一団１１１と流体的に連通して又は密閉空間内に配置されたときに検出される遊離酸素量に応じて色を変化させるのに適している。視覚的表示器手段の使用を可能とするように、すなわち、使用者が状態変化に対応する色変化を容易に見ることを可能とするように、ここで述べられた実施形態において、外被１１は、完全に透明な材料から形成され、前述の表示器手段を含有する包み１の中身全体を見ることを可能とするようにされる。さらに、包装工程を簡単化するために、表示器手段は、遊離酸素を吸収するための手段５１と一体化される。
【００６１】
表示器手段は、吸収手段５１が予め定められた量だけ包み１内の遊離酸素を低減するときに、予め定められた色を表示するのに適している。好ましくは、この低減は、包み内に含有される気体量の０．０５％以下の包み１内の酸素量に対応する。それにより、この表示器手段は、包み１を開封することなく、紙巻タバコを取り囲む容積内に提供された酸素含有量を読み取ることを可能とする。このようにして、使用者は、さらに、包みが密閉されているか、又は、外側環境からの空気の導入、その結果として、酸素量のより大きな不適当な吸収を許容するように開口を有しているかを、吸収された酸素含有量によって確かめることができる。
【００６２】
択一的に、外被には、このために使用される透明な一部分だけが設けられることができ、この場合において、表示器手段は、使用者へ可視化されるように、透明部分に配置される。
【００６３】
加えて、包み１は、それ内、特に、紙巻タバコの一団１１１を取り囲む気密空間内に、周囲雰囲気とは異なる調整雰囲気を有することができる。調整雰囲気は、含有された紙巻タバコのための保護雰囲気であるように、予め定められた窒素量を包含する。加えて、又は、択一的に、保護雰囲気（調整された）は、予め定められた酸素量、特に、吸収手段５１によって実質的に完全に吸収されるような量を包含しても良い。さらに、加えて、又は、択一的に、保護雰囲気の調整は、タバコの感覚刺激特性の維持を保証するような予め定められた湿度程度を提供しても良い。
【００６４】
本発明による紙巻タバコの再閉じ可能な包みの製造は、公知の種類の包装機械、例えば、Ｇ．Ｄ．Ｓ．ｐ．Ａによって製造された型式の一つによって行われることができる。
【００６５】
包装機械（例示されていない）には、外被１１の連続製造に適した溶封式包装テープリールの第一の繰り出し装置が設けられる。この第一の繰り出し装置は、弱化線２１１を形成する非貫通予切断部分を構成し、前述した包装テープを予め定められた間隔で適当に切断する。第一の繰り出し系列は、さらに、予切断部分が設けられたテープから包装シートを得るための切断装置を具備する。
【００６６】
第一の繰り出し装置の下流側に又は第一の繰り出し装置に対して平行に、包装機械には、強化要素２１の連続製造に適した紙類の包装テープリールの第二繰り出し装置が設けられる。この第二繰り出し装置は、繰り出しリールから包装シートを得るための第二切断装置を具備し、特に、この包装シートは、前述したように紙巻タバコの抜き取りを容易にするのに適した切欠きを形成するように作られる。
【００６７】
それにより、包装方法は、紙巻タバコの一団１１１を形成する段階を包含し、ここで、紙巻タバコの一団１１１を形成するための第三の装置は、所望の形成層を構成する。次いで、第四の結合装置において、強化要素２１は、紙巻タバコの形成された一団１１１回りに部分的に、特に、前述の一団の前面上、及び、紙巻タバコの一団１１１の側面に対応する同じ一団の第一及び第二対向側面上に、載置される。この強化要素２１の結合は、好ましくは、適当な押圧器によって紙巻タバコの一団１１１を形成するときに達成される。形成された一団１１１を保持するための座部は、この強化要素２１を収容するのに適し、適当な押圧器が、少なくとも二つの対向側面において紙巻タバコの一団１１１上に強化要素２１を載置することを可能とするようにこの凹部内へ形成された一団１１１を入れるのに適している。
【００６８】
第五の形成装置は、溶封可能な種類のシートで紙巻タバコの一団１１１と強化要素２１とを包装することによって部分的に包装された外被１１を構成する。この第五の形成装置は、各水平回転軸線回りに回転可能な第一移動ホイールを具備する。第一移動ホイールは、強化要素２１が設けられた紙巻タバコの一団１１１を連続的に受け入れ、これら一団を包装装置の多数の周囲凹部を有する第二包装ホイールへ移動させる。自身の各垂直回転軸線回りに回転可能な第二包装ホイールにおいて、各凹部は、強化要素２１が設けられた紙巻タバコの一団１１１と、第一の繰り出し装置において間隔切断により得られた各包装シートと、を受け入れる。それにより、第二包装ホイールの回転は、弱化線２１１を有する部分が設けられた外被１１を形成するために、包装シートを折り、こうして、前述のように形成された紙巻タバコの一団１１１を取り囲むことを可能とする。特に、包装シートの包装は、紙巻タバコの頭部から開始することが行われ、それにより、この弱化線２１１は、フィルタ部に一致する紙巻タバコの後部に配置される。
【００６９】
次いで、溶封可能な材料のシートは、折られたシートが、前述の強化要素２１が設けられた第一及び第二側面からそれぞれ突出する二つの対向開き端部を具備するように、紙巻タバコの一団１１１回り及び強化要素２１回りにＵ形に折られる。それにより、その後、第二包装ホイールの回転は、外被の背面及び側面の重なりフラップ部の形成によって外被１１の結合完了を結果として生じる。特に、背面重なりフラップ部は、筒状包装を構成するために互いに溶封される。
【００７０】
外被１１は、第一及び第二側面のそれぞれの各開き端部の第一端部３１１´を折り、第一端部上にそれぞれの各開き端部の第二端部３１１´´を折ることによって密閉される。次の段階において、部分的に形成された外被１１（完成された側面フラップ部の折りによって）は、密閉することによって、特に、折られた第一端部３１１´及び第二端部３１１´´を互いに溶封することによって、完成させられる。
【００７１】
遊離酸素を吸収するための手段５１を包み１へ及び紙巻タバコの最初の一団１１１と流体的に結合する段階は、外被１１を密閉する前になされる。
【００７２】
この段階は、好ましくは、紙巻タバコの一団１１１と組み合わせる前又は後において、強化要素２１へ酸素吸収のための手段５１を結合することによってなされる。択一的に、この段階は、外被１１を構成することを可能とする溶封可能なシートと吸収手段５１を結合することによって行われることができる。さらなる選択肢は、吸収手段５１の適用が、次いで強化要素２１又は外被１１の溶封可能なシートを構成するのに適した包装材料のテープ上に直接的に得られることを提供しても良い。
【００７３】
本実施形態において、吸収手段５１は、強化要素２１へ付けられ、第六の中間結合装置が第二の繰り出し装置から下流側で第四の結合装置から上流側に配置される。これは、強化要素２１を構成するのに適したシート上に吸収手段５１を配置することを可能とする。択一的に、前述の第五の結合装置は、強化装置２１を構成するのに適した包装材料のテープ上に予め定められた間隔で吸収手段５１を直接的に結合するために、第二の繰り出し装置に対して平行に配置されても良い。加えて、この第五の結合装置は、外被１１を構成するのに適した包装材料のテープ上に予め定められた間隔で吸収手段５１を直接的に結合するために、第一の繰り出し装置に対して平行に配置されても良い。
【００７４】
包み１は、本発明により完成させられ、その時には、紙巻タバコの一団１１１と流体的に連通して配置された遊離酸素を吸収するための手段５１を含有する密閉外被１１が設けられる。加えて、包みは、容器内において外被を取り囲むように、紙材を折るのに適したさらなる形成装置上へ形成された外被１１を送ることによって得られる好ましくは紙材の保護容器が設けられても良い。それにより、使用される紙材は、「柔軟で強固な」種類の包み、又は、「強固なヒンジ蓋の」種類の包みを構成しても良い。
【００７５】
紙巻タバコの包み１の内側雰囲気を周囲雰囲気とは異なる調整雰囲気へ調整することを必要とする場合において、本機械には、密閉段階を構成するのに適する部分に少なくとも配置された機械の一部の覆いが設けられることができる。
【００７６】
この調整段階中において、包みの雰囲気は、紙巻タバコの中身のための保護雰囲気を構成するように予め定められた窒素量を包含する気体を導入することによって変えられる。加えて、又は、択一的に、導入気体は、予め定められた酸素量、特に、吸収手段５１によって実質的に完全に吸収されるような量を包含しても良い。調整気体の導入は、加えて、又は、択一的に、予め定められた値への及び機械内への乾燥又は加湿空気の供給を提供することによってタバコの感覚刺激特性を維持することを保証するように、湿度程度の調整を提供しても良い。湿度程度の変化は、多分、雰囲気湿度及び設備内の空気成分の測定の結果としてか、又は、破壊無作為抽出から推定されるデータに基づくかのいずれか一方で、実施されることができる。
【００７７】
図３及び４に関して、本発明による密閉されて遊離酸素を吸収するための手段が設けられた紙巻タバコの包み２の第二実施形態が例示される。
【００７８】
包み１のために上述されたことは、必要な変更を加えて、包み２へ適用可能であり、この包において、唯一の違いは、外被１２を構成するのに適した異なる折り形状にある。特に、図３及び４に例示された形式の包み２は、「流れ包み」式、すなわち、「製袋包装」の包装機械によって得られることができる。
【００７９】
外被１２を構成する溶封可能なシートは、折られたシートが、紙巻タバコの一団１１２の第一及び第二側面から、その結果として、強化要素２２から、それぞれに突出する二つの対向開き端部を具備するように、紙巻タバコの一団１１２回り及び強化要素２２回りにＵ形に折られる。
【００８０】
外被１２は、互いに対向して配置されるような第一及び第二側面のそれぞれの第一端部３１２´及び第二端部３１２´´を結合し、次いで、互いに第一端部３１２´及び第二端部３１２´´を溶封することによって密閉される。
【００８１】
第三実施形態（例示されていない）により、包みは、再閉じ可能式であっても良い。
【００８２】
図１及び２のために上述されたことは、必要な変更を加えて、前述の種類の包みへ適用可能であり、この包において、使用者による紙巻タバコの一団への最初の接近の後に、外被は、残る中身を保護するために数回は再び閉じられても良い。
【００８３】
再閉じ可能な種類の包みは、さらに、紙巻タバコのための抜き取り開口と、抜き取り開口において外被上に可動式に載置された付着閉じパネルと、を具備する。特に、抜き取り開口は、包み１及び２のために前述されたように、外被上に形成された同じ弱化線によって囲まれた部分によって構成されることができる。
【００８４】
それにより、閉じパネルは、それが抜き取り開口への接近を可能とするように外被から少なくとも部分的に外される開き位置と、閉じパネルが抜き取り開口を閉じるように外被へ載置される閉じ位置との間を可動である。
【００８５】
最初に開かれるまで密閉されて、次いで、再閉じ可能な、及び、選択的に、再密閉可能な種類の前述の種類の包みにおいて、遊離酸素を吸収するための手段は、各再閉じにおいて、紙巻タバコの抜き取り中に導入される酸素量を低減するように、多数の短い包の開放の後でさえ機能するように形成されても良い。
【００８６】
それにより、再密閉可能な種類の紙巻タバコの前述の包みの製造は、追加のラベル張り装置が設けられることを除いて前述の同じ包装機械で実施されることができる。ラベル張り装置には、予め定められた間隔での切断によって、包みを再閉じするために使用される付着閉じパネルを構成する包装材料のテープを繰り出すことを可能とする適当な繰り出し切断手段が設けられる。このパネルの製造及び付着は、公知の様式であり、さらに詳細には述べられないであろう。
【００８７】
本発明による前述された遊離酸素を吸収するための手段が設けられた紙巻タバコの包みは、多くの利点を有する。
【００８８】
第一には、包みの包装後に包み内の存在遊離酸素の低減又は排除を達成することを可能とする。さらに、酸素吸収のための手段の存在は、公知技術の現在の解決方法で行われるように、雰囲気調整のための待ち時間へ包装工程のかなりの部分を予定することなく、低減させた量又は不存在の酸素を有する包みを得ることを可能とする。
【００８９】
加えて、再閉じ可能な包みの場合において、包みの各再閉じの後に遊離酸素量を低減させることを可能とし、それにより、最初の解放後でさせ低減させた酸素を有する雰囲気の提供を再構成する。
【００９０】
最後に、前述された酸素吸収のための手段が設けられた紙巻タバコの包みは、標準的な包装機械へ軽度の変更をなすことによって、簡単及び安価に製造されることができる。それにより、包みの製造は、かなりの設計及び製造費用の特別な包装機械の使用を必要とせず、とりわけ、調整雰囲気の発生のための高価な複雑な設備を必要としない。
【図１】
2017538635.tif 000003
【図２】
2017538635.tif 000004
【図３】
2017538635.tif 000005
【図４】
2017538635.tif 000006
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
紙巻タバコの一団（１１１；１１２）と、
紙巻タバコの前記一団（１１１；１１２）の二つの対向する第一側面及び第二側面において少なくとも部分的に紙巻タバコの前記一団（１１１；１１２）に載置された強化要素（２１；２２）と、
溶封可能な種類のシートから形成される密閉された外被（１１；１２）であって、紙巻タバコの前記一団（１１１；１１２）及び前記強化要素（２１；２２）を取り囲む前記外被（１１；１２）と、を具備する紙巻タバコの包み（１；２）において、
前記包み（１；２）は、密閉された前記外被（１１；１２）内の遊離酸素量を低減するために、紙巻タバコの前記一団（１１１；１１２）と共に密閉された前記外被（１１；１２）内に配置される、遊離酸素を吸収するための手段（５１）を具備することを特徴とする紙巻タバコの包み（１；２）。
【請求項２】
前記外被は、紙巻タバコの前記一団（１１１；１１２）及び吸収のための前記手段（５１）を含有する大気圧で気密の空間を構成し、予め定められた湿度程度を有する保護雰囲気を有する請求項１に記載の包み（１；２）。
【請求項３】
溶封可能な種類の前記シートは、折られた前記シートが、前記第一側面及び前記第二側面からそれぞれに突出する二つの対向する開き端部を具備するように、紙巻タバコの前記一団（１１１）回り及び前記強化要素（２１）回りにＵ形に折られ、
前記第一側面及び前記第二側面のそれぞれの各前記開き端部の第一端部（３１１´）を折り、前記第一端部（３１１´）上にそれぞれの各前記開き端部の第二端部（３１１´´）を折り、次いで、折られた前記第一端部（３１１´）及び前記第二端部（３１２´）を互いに溶封することによって、又は、
互いに対向して配置されるように前記第一側面及び前記第二側面のそれぞれの第一端部（３１２´）及び第二端部（３１２´´）を結合し、次いで、前記第一端部（３１２´）及び前記第二端部（３１２´´）を互いに溶封することによって、前記外被（１１）が密閉される請求項１又は２に記載の包み（１）。
【請求項４】
前記外被は、
前記紙巻タバコの抜き取り開口と、
前記抜き取り開口において前記外被上に可動に載置された付着閉じパネルと、を具備し、
前記付着閉じパネルは、前記付着閉じパネルが前記抜き取り開口への接近を可能とするように前記外被から少なくとも部分的に外される開き位置と、前記付着閉じパネルが前記抜き取り開口を閉じるように前記外被へ載置される閉じ位置との間を可動である請求項１〜３のいずれか一項に記載の包み。
【請求項５】
酸素吸収のための前記手段（５１）は、前記強化要素（２１；２２）と前記外被（１１；１２）との間に挿入される請求項１〜４のいずれか一項に記載の包み（１；２）。
【請求項６】
吸収のための前記手段は、前記外被の内面の少なくとも一部の被覆からなる請求項１〜４のいずれか一項に記載の包み（１；２）。
【請求項７】
吸収のための前記手段は、前記外被又は前記強化要素へ結合された付着吸収パネルからなる請求項１〜４のいずれか一項に記載の包み（１；２）。
【請求項８】
吸収のための前記手段は、紙巻タバコの前記一団（１１１；１１２）に並んで配置されて、前記遊離酸素を吸収することができる粉又は粒剤を具備する通気性の袋（５１）からなる請求項１〜４のいずれか一項に記載の包み（１；２）。
【請求項９】
吸収のための前記手段は、前記強化要素に一体化される請求項１〜４のいずれか一項に記載の包み（１；２）。
【請求項１０】
吸収のための前記手段は、密閉された前記外被（１１；１２）を形成する溶封可能な種類の前記シートと一体化される請求項１〜４のいずれか一項に記載の包み（１；２）。
【請求項１１】
前記包み（１；２）内の遊離酸素の量に基づき色を変えることを可能とする酸素量の視覚的表示手段を具備し、
前記外被（１１；１２）は、少なくとも一つの透明部分を有し、
前記視覚的表示手段は、吸収のための前記手段（５１）が前記包み（１；２）内の前記遊離酸素を予め定められた量だけ低減するときに既定色を示す前記少なくとも一つの透明部分との対応関係で配置される請求項１〜１０のいずれか一項に記載の包み（１；２）。
【請求項１２】
紙巻タバコの一団（１１１；１１２）を形成する段階と、
紙巻タバコの前記一団（１１１；１１２）の二つの対向する第一側面及び第二側面回りに少なくとも部分的に強化要素を載置する段階と、
溶封可能な種類のシートで紙巻タバコの前記一団（１１１；１１２）及び前記強化要素（２１；２２）を取り囲むことによって部分的に包装された外被（１１；１２）を構成する段階と、
密閉された外被を形成するように部分的に包装された前記外被（１１；１２）を密閉する段階と、具備する、紙巻タバコの包み（１；２）を包装する方法において、
前記方法は、前記密閉する段階の前に、紙巻タバコの前記一団（１１１；１１２）と共に遊離酸素を吸収するための手段（５１）を前記外被（１１；１２）内へ配置する段階を包含することを特徴とする方法。
【請求項１３】
密閉の前記段階は、大気圧で気密の空間として紙巻タバコの前記一団（１１１；１１２）を含有する前記外被を構成し、
結合の前記段階は、前記空間内に吸収のための前記手段（５１）を配置し、
前記方法は、前記空間の雰囲気を、予め定められた湿度程度が設けられた雰囲気へ調整する段階を具備する請求項１２に記載の方法。
【請求項１４】
前記包み（１；２）へ遊離酸素を吸収するための前記手段（５１）を結合する段階は、吸収のための前記手段（５１）を、前記強化要素（２１；２２）へ、又は、溶封可能な前記シートへ、又は、前記強化要素又は溶封可能な前記シートを構成することを可能とする包装材料のテープへ結合することによってなされる請求項１２又は１３に記載の方法。
【請求項１５】
前記方法は、前記包み（１；２）内の遊離酸素の量に基づき色を変えることを可能とする酸素量の視覚的表示手段を配置する段階をさらに具備し、
前記外被（１１；１２）は、少なくとも一つの透明部分を有し、前記視覚的表示手段は、吸収のための前記手段（５１）が前記包み（１；２）内の前記遊離酸素を予め定められた量だけ低減するときに既定色を示す前記少なくとも一つの透明部分との対応関係で配置されている、請求項１２、１３又は１４に記載の方法。
【国際調査報告】
2017538635.tif 000007
2017538635.tif 000008